(57)【要約】【課題】必要に応じて把持部材を用いて眼前に支持することができる映像表示装置を提供すること。【解決手段】映像表示装置１は、映像を表示する表示システム１０を含む本体２及び本体２に着脱可能に取り付けられる把持部材３を備える。把持部材３が、映像を表示する表示システム１０を含む本体２に着脱可能に取り付けられることで、必要に応じて把持部材３を本体２に取り付け、その把持部材３を把持して本体２を眼前に設置することにより、映像を視ることができる。また、必要に応じて把持部材３を本体２から取り外して、映像表示装置１を利用することもできる。【選択図】図１
2018042047.tif 000002
【特許請求の範囲】
【請求項１】
眼前に設置可能な映像表示装置であって、
映像を表示する表示システムを含む本体と、
前記本体に着脱可能に取り付けられる把持部材と、
を備えることを特徴とする映像表示装置。
【請求項２】
前記把持部材は、前記本体の下方に取り付けられることを特徴とする、請求項１に記載の映像表示装置。
【請求項３】
前記把持部材は、前記表示システムを操作する操作部材を有することを特徴とする、請求項１又は２に記載の映像表示装置。
【請求項４】
前記本体は、前記操作部材を操作することによって前記把持部材からから入力される第１信号及び前記把持部材以外から入力される第２信号を受けて前記表示システムを制御する制御部を有することを特徴とする、請求項３に記載の映像表示装置。
【請求項５】
前記把持部材は、把持する手指の位置をガイドする複数の凸条を有することを特徴とする、請求項３又は４に記載の映像表示装置。
【請求項６】
前記操作部材は、前記複数の凸条のうちの２つの凸条の間に設けられることを特徴とする、請求項５に記載の映像表示装置。
【請求項７】
前記本体に着脱可能に取り付けられる固定紐部材を備えることを特徴とする、請求項１〜６のいずれか１項に記載の映像表示装置。
【発明の詳細な説明】
【技術分野】
【０００１】
本発明は、眼前に設置可能な映像表示装置に関する。
【背景技術】
【０００２】
表示装置及びスクリーンが筐体内に内蔵され、筐体に設けられたファインダー窓を覗くことにより、表示装置によりスクリーンに表示される映像を視ることができる映像表示装置が知られている。特に、筐体に設けられたバンド等を利用してユーザの頭部に装着すること等により、ファインダー窓を眼前に位置決めすることができるゴーグル型のものが、バーチャルリアリティ画像の閲覧に広く用いられている。（以下、「映像表示装置」は、ファインダー窓を眼前に位置決めすることができるゴーグル型のものを示す。ただし、位置決めする手段、方法は限定しない。）
【０００３】
例えば個人が自己の嗜好に応じて画像を鑑賞するためにバンド等を用いて映像表示装置を装着するとき、バンド等が当接する箇所に圧力が加わる。この圧力を好まないユーザも多い。また、映像表示装置の活用としては、美術館等の施設において不特定の来場者に貸与して展示物等の説明や案内を表示することもある（映像のみでなく音声を併用してもよい）。この場合、不慣れな来場者が映像表示装置を装着するには、装着方法を確認する等の不便が強いられる。また、施設への入場の際に映像表示装置を来場者に貸与して装着させると、装着にために要する時間に起因して渋滞につながるおそれもある。
【０００４】
上記の問題を解決するには、映像表示装置を、頭部に装着せずに、例えば棒状の把持部を設け、それを把持して支持して設置することが考えられる。（本明細書において、ファインダー窓を眼前に位置決めすること全般を「設置」と言い、人体に固定することによる設置を「装着」と言い、人体に固定せずに把持、載置等による設置を「支持」と言う。）この点、特許文献１には、ファインダー窓を覗く際に、ユーザが両手で把持する把持部が設けられた映像表示装置が開示されている。しかし、把持部は筐体に固定されているため、必要時にのみ把持部を利用して映像表示装置を眼前に設置することはできない。また、把持部を用いずにバンド等を用いて両手を使いたいユーザも存在する。かかるユーザにとって、把持部はじゃまに感じられる。把持部が映像表示装置の本体に着脱可能であることが必要である。
【先行技術文献】
【特許文献】
【０００５】
【特許文献１】特開２００１−３３７２８号公報
【発明の概要】
【発明が解決しようとする課題】
【０００６】
本発明は、必要に応じて把持部材を用いて眼前に支持することができる映像表示装置を提供することを課題とする。
【課題を解決するための手段】
【０００７】
本発明の映像表示装置は、
眼前に設置可能な映像表示装置であって、
映像を表示する表示システムを含む本体と、
前記本体に着脱可能に取り付けられる把持部材と、
を備えることを特徴とする。
【０００８】
この特徴によれば、把持部材が、映像を表示する表示システムを含む本体に着脱可能に取り付けられる。それにより、必要に応じて把持部材を本体に取り付け、その把持部材を把持して本体を眼前に設置することで、映像を視ることができる。また、把持部材が不要な時には取外して、じゃまに感じられることをなくすことができる。
【０００９】
本発明の映像表示装置は、
前記把持部材は、前記本体の下方に取り付けられることを特徴とする。
【００１０】
この特徴によれば、把持部材を持つ腕が映像表示装置の下方に配され、その肘部を胸ないし腹において支えることができる。映像表示装置を長時間にわたって支持しても疲労が少ないものとなる。
【００１１】
本発明の映像表示装置は、
前記把持部材は、前記表示システムを操作する操作部材を有することを特徴とする。
【００１２】
この特徴によれば、把持部材が表示システムを操作する操作部材を有することで、把持部材が有する操作部材を用いて表示システムを操作することができる。
【００１３】
本発明の映像表示装置は、
前記本体は、前記操作部材を操作することによって前記把持部材からから入力される第１信号及び前記把持部材以外から入力される第２信号を受けて前記表示システムを制御する制御部を有することを特徴とする。
【００１４】
この特徴によれば、第２信号よって本体の操作を行うことができ、同時に、操作部材から送信される第１信号及び本体外から入力される第２信号のうちの少なくとも一方を受けて表示システムを制御する制御部を有する。制御部によって把持部材が取外された時の制御も行うので、第２信号は、制御に必要なもの全てを含む。第１信号は、その制御の一部、特にユーザが頻繁に行うものについて、操作部材を用いて行うためのものである。
【００１５】
本発明の映像表示装置は、
前記把持部材は、把持する手指の位置をガイドする複数の凸条を有することを特徴とする。
【００１６】
この特徴によれば、把持部材が把持する手指の位置をガイドする複数の凸条を有することで、把持部材を把持する手指がガイドされ、安定して把持することが容易となる。
【００１７】
本発明の映像表示装置は、
前記操作部材は、前記複数の凸条のうちの２つの凸条の間に設けられることを特徴とする。
【００１８】
この特徴によれば、操作部材の操作を行いやすい位置に、手指を配置することができる。
【００１９】
本発明の映像表示装置は、
前記本体に着脱可能に取り付けられる固定紐部材を備えることを特徴とする。
【００２０】
この特徴によれば、把持部材を用いない（取外した）時に、固定紐部材（例えば頭部装着用のバンド）によって、映像表示装置を装着することができる。
【図面の簡単な説明】
【００２１】
【図１】図１は、映像表示装置の構成を示す斜視図である。
【図２】図２は、映像表示装置の構成を示す正面図である。
【図３】図３は、把持部材の取り付け構造の構成を示す図である。
【図４】図４は、映像表示装置の内部構成を示す図である。
【図５】図５は、バンドを取り付けた映像表示装置を示す図である。
【発明を実施するための形態】
【００２２】
以下、本発明の一実施形態について説明する。
【００２３】
図１及び図２に、本実施形態に係る映像表示装置１の構成を示す。ここで、図１は、映像表示装置１の構成を斜視方向より示し、図２は、正面、すなわちファインダー窓２ａ側から示す。映像表示装置１は、ユーザの頭部、特に眼前に設置して使用する装置であり、本体２、把持部材３及び取り付け構造４を備える。
【００２４】
本体２は、映像を表示する表示システム１０を内部に含む筐体である。本体２には、図１における右斜め奥側及び図２における手前側にユーザが本体２内のスクリーン１４を覗くためのファインダー窓２ａ、上面及び側面（左右両方）に本体２を人体に装着するためのバンド５を係止する引掛部材２ｂ、底面に後述する係止部材３ｃを係止するための受け部材２ｃが設けられている。なお、引掛部材２ｂ及び受け部材２ｃの構成については後述する。
【００２５】
本体２は、図において一点鎖線により示した箇所で分離し、一点鎖線より図面左側の開閉部２１が開閉する。後述のようにスマートフォンの画面の映像を鑑賞するために、スマートフォンを出し入れすることができる。
【００２６】
把持部材３は、映像表示装置１を利用するユーザが手指で把持して本体２を眼前（すなわち、ユーザの両眼の前）に設置するための部材である。把持部材３は、胴部、操作部材３ｂ、及び係止部材３ｃを有する。
【００２７】
胴部は、本体２の底面に取り付けられる上端に対して下端が図１における斜め左下（図２における奥側）に傾斜する棒状の部材であり、その先端に左下に向かって突出する突片３ａ０及び左面（図２における背面）上に把持部材３の長手方向に並ぶ複数（ここでは、一例として４つ）の凸条３ａが形成されている。複数の凸条３ａの間及び最下の凸条３ａと突片３ａ０との間は円弧状に形成され、それらの中央に把持部材３を把持する４つの手指をガイドすることで、ユーザは把持部材３を安定して把持することができる。
【００２８】
操作部材３ｂは、表示システム１０を操作するためのボタン状の部材であり、複数の凸条３ａのうちの２つの凸条、本実施形態では最上の２つの凸条３ａの間に設けられている。それにより、把持部材３が有する操作部材３ｂを用いて表示システム１０を操作することができる。ここで、複数の凸条３ａによりガイドされた手指のうち、最上の２つの凸条３ａの間にガイドされる手指、通常人差し指により操作部材３ｂを操作することができる。
【００２９】
ボタン状の操作部材３ｂを押すことにより、第１信号が本体２に送信される。送信のため、把持部材３は制御チップ３１及び電池３１ａ（図４参照）を内蔵している。第１信号の送信は、係止部材３ｃ及び本体２の受け部材２ｃを介して行うことができる。この他、無線信号を送信し本体２の制御部１１が受信する、制御部１１と操作部材３ｂとをケーブルで接続する、その他の方法によってもよい。その他の方法については後述する。
【００３０】
係止部材３ｃは、先述の本体２の受け部材２ｃに係止する部材である。なお、係止部材３ｃの構成については後述する。
【００３１】
図３に、取り付け構造４の構成を模式的に示す。取り付け構造４は、操作部材３ｂを本体２に着脱可能に取り付けるための構造であり、先述の本体２の受け部材２ｃ及び操作部材３ｂの係止部材３ｃから構成される。
【００３２】
受け部材２ｃには、本体２の底面に平行に延びる溝部２ｃ０が形成されている。溝部２ｃ０は、受け部材２ｃの底面から上側に拡がる形状、ここでは一例としてＴ字状の断面を有する。なお、受け部材２ｃの溝部２ｃ０内に導電金属からなる配線が設けられ、これにより溝部２ｃ０内に嵌入される係止部材３ｃと後述する制御部１１とが電気的に接続される。
【００３３】
係止部材３ｃは、導電金属から成形された棒状部材であり、その上端は図面左右方向に拡がってＴ字状に成形されている。係止部材３ｃは、上端を操作部材３ｂの上面から上方に突出し、基端を内部に埋設して操作部材３ｂに固定されている。なお、係止部材３ｃは、操作部材３ｂに電気的に接続されている。ただし、操作部材３ｂと溝部２ｃ０内の配線とを通電すればよく、係止部材３ｃ全部が導電性を有さずともよい。また、後述するように係止部材３ｃを介さずに信号を送受信する場合には、係止部材３ｃの導電は不要である。
【００３４】
上述の構成の取り付け構造４により、係止部材３ｃの上端を本体２の受け部材２ｃの溝部２ｃ０に挿入して係止することで、操作部材３ｂが本体２に着脱可能に取り付けられる。それにより、操作部材３ｂが係止部材３ｃ及び配線（不図示）を介して制御部１１に接続される。また、係止部材３ｃの上端を受け部材２ｃの溝部２ｃ０から引き抜くことで、操作部材３ｂを本体２から取り外すこともできる。なお、取り付け構造４は、本実施形態のものに限定されず、例えはフラッシュ取り付け用の既存部材を利用することもできる。
【００３５】
また、把持部材３が本体２の下方に取り付けられる。本体２を眼前に設置すると、把持部材は首の前方周辺に配される。把持部材を持つ腕はその下にあり、その肘部を胸ないし腹において支えることができる。映像表示装置を長時間にわたって支持する場合に、左右から支持する（把持部材が左右に取り付けられる）場合と比して、腕の疲労が少ないものとなる。
【００３６】
図４に、映像表示装置の内部構成、特に表示システム１０の構成を概略的に示す。表示システム１０は、制御部１１、液晶ディスプレイ１２、レンズ１３、及び外部入力端子１４を有する。ただし、表示システムの構成は、制御部１１を除き、本発明の要部ではなく、従来と同様で差し支えない。また、外部入力端子１４は、無線通信等によって信号を受信する場合には不要である。
【００３７】
制御部１１は、表示システム１０、特に液晶ディスプレイ１２を制御するユニットであり、例えばマイクロコンピュータを用いて構成することができる。制御部１１は、操作部材３ｂから送信される信号及び本体２上又は本体２外から入力される信号を受けて表示システムを制御する。
【００３８】
液晶ディスプレイ１２は、画像を表示する。ただし、液晶ディスプレイに替えてハーフミラーを介してスクリーンに画像を投射する等の光学的方式を採用してもよい。
【００３９】
レンズ１３は、液晶ディスプレイ１２とファインダー窓２ａとの間に設けられ、ファインダー窓２ａから覗き込むユーザに対し、画像を拡大する。
【００４０】
以上のように画像が表示されるが、表示のオン／オフ、表示する画像の選択、表示の明るさ、その他の信号を制御部１１が受けて液晶ディスプレイ１２を駆動するものでる。
【００４１】
制御部１１は、本体２上から、又は、外部端子１４を介して本体２外から、信号を受信し、液晶ディスプレイ１２を駆動する。制御部１１は、合わせて、操作部材３ｂからも信号を受信して液晶ディスプレイ１２を駆動する。ここで、操作部材３ｂから送信される信号は、例えばボタンの押下にとる表示装置１１のスイッチ（オンオフ）信号である。また、操作部材３ｂにジョイスティックを設けて画像の明るさ等の信号を送信することもできる。本体２上又は本体２外からは、他の信号、例えば動画像データ、再生時の明るさ、も送信される。それにより、本体２上又は本体２外からの入力により表示システムを制御するだけでなく、その制御の一部を操作部材３ｂを用いてすることもできる。
【００４２】
操作部材３ｂから本体２（制御部１１）への信号送信は、上述のとおり、係止部材３ｃ及び溝部２ｃ０内の導電金属を介して行うことができる。この他にも、図に一点鎖線で示すように操作部材３ｂと外部端子１４とを有線接続してもよい。また、把持部材３に制御チップ３１に制御される発信装置を設け、電池３１ａの電力によって無線発信し制御部１１が受信してもよい。
【００４３】
液晶ディスプレイ１２を設けずに、スマートフォンを本体に挿入して使用することも可能である。開閉部２１を開き、スマートフォンの画面をファインダー窓２ａに向けてスマートフォンを装着することができる。その場合、制御部１１からスマートフォンへの制御は、無線通信によって行われる。近年のスマートフォンは、Ｂｌｕｅｔｏｏｔｈ（登録商標）等の無線通信によって動画表示の操作が可能である。
【００４４】
以上、把持部材３を取付けることを前提に説明したが、把持部材３を取付けずに画像表示装置１を利用することもできる。上面及び左右の引掛部材２ｂに帯状のバンド５（固定紐部材）を通し、そのバンド５によって画像表示装置１を頭部に装着することが可能である。図５に、バンドを取り付けた映像表示装置を示す。すなわち、把持部材３とバンド５とを選択的に使用することが可能である。
【００４５】
以上詳細に説明したように、本実施形態に係る映像表示装置１は、映像を表示する表示システム１０を含む本体２及び本体２に着脱可能に取り付けられる把持部材３を備える。把持部材３が、映像を表示する表示システム１０を含む本体２に着脱可能に取り付けられることで、必要に応じて把持部材３を本体２に取り付け、その把持部材３を把持して本体２を眼前に設置することにより、映像を視ることができる。また、必要に応じて把持部材３を本体２から取り外して、映像表示装置１を利用することもできる。
【産業上の利用可能性】
【００４６】
本発明の映像表示装置は、必要に応じて把持部材を用いて眼前に設置するのに好適である。多くの美術館等の施設における利用が考えられる。
【符号の説明】
【００４７】
１      映像表示装置
２      本体
２ａ    ファインダー窓
２ｂ    引掛部材
２ｃ    受け部材
２ｃ０  溝部
２１    開閉部
３      把持部材
３ａ    凸条
３ａ０  突片
３ｂ    操作部材
３ｃ    係止部材
３１    制御チップ
３１ａ  電池
４      取り付け構造
５      バンド
１０    表示システム
１１    制御部
１２    液晶パネル（スマートフォン）
１３    レンズ
１４    外部端子
【図１】
2018042047.tif 000003
【図２】
2018042047.tif 000004
【図３】
2018042047.tif 000005
【図４】
2018042047.tif 000006
【図５】
2018042047.tif 000007